(57)【要約】　　　（修正有）【課題】自社商品等の広告等のために用いられる展示ボードを、人目を十分に引くことが可能であるとともに、コストも低く抑えることを可能とする。【解決手段】ボード本体２と、該ボード本体２に支持されたボードフィルム３と、該ボードフィルム３の表面側における周辺部任意の箇所に、任意の模様を描くようにして貼着された反射テープ４と、を備えたことを特徴としており、これにより、自社の広告宣伝等のためのカタログ等を本考案の展示ボードに貼着等した場合には、展示ボード全体を浮き上がらせることができ、特にカタログ等に趣向を凝らすことなく、人目を十分に引くことが可能な展示ボードとすることができ、更に、ボードフィルムを曲面形状に支持することで視認可能な角度を広げることが可能となる。【選択図】　　　　　　　図１
0003098733.tif 000002
【実用新案登録請求の範囲】
【請求項１】
各種広告等を展示するために用いられる展示ボードであって、
ボード本体（２、１２、２２）と、
該ボード本体（２、１２、２２）の表面側における周辺部任意の箇所に、任意の模様を描くようにして貼着された反射テープ（４、１４）と、を備えたことを特徴とするパネル。
【請求項２】
各種広告等を展示するために用いられる展示ボードであって、
ボード本体（２、１２、２２）と、
該ボード本体（２、１２、２２）に支持されたボードフィルム（３、１３、２３）と、
該ボードフィルム（３、１３、２３）の表面側における周辺部任意の箇所に、任意の模様を描くようにして貼着された反射テープ（４、１４）と、を備えたことを特徴とするパネル。
【請求項３】
前記ボードフィルム（２３）を曲面形状にして前記ボード本体（２２）に支持したことを特徴とする請求項２に記載の展示ボード。
【考案の詳細な説明】
【０００１】
【考案が属する技術分野】
本考案は各種広告等を展示するために用いられる展示ボードに係り、より詳しくは、ボード本体と、このボード本体に支持されたボードフィルムと、このボードフィルムの表面側における周辺部任意の箇所に、任意の模様を描くようにして貼着された反射テープと、により構成されることを特徴とする展示ボードに関する。
【０００２】
【従来の技術】
従来から、商品広告等の手法の一つとして展示ボードが用いられており、この展示ボードを用いることにより、自社商品の宣伝等を可能としている。即ち、この展示ボードは、一般的に、発泡スチロール等により形成される板状のボードから構成されており、これを用いて広告等を行なう場合には、自社商品のカタログ、写真等をこの展示ボードに貼りつけ、その後、この展示ボードを、例えば展示会場における自社ブースの目立つ箇所等に設置して、これにより自社商品、あるいは自社の広告宣伝を行なうことを可能にしている。
【０００３】
また、この展示ボードはその他、各種の催し物等においても、各種の広告を目立つ箇所に展示するために、たとえば、各種の催し物会場に出展している出店が価格を表示したり、出展商品の写真を展示したりするためにも用いられており、その用途は多岐にわたっている。
【０００４】
【考案が解決しようとする課題】
ところで、特に出展者が多数になる展示会場等では、自社製品を有効にアピールする必要があるが、前述した従来の展示ボードでは、単に展示ボードに自社商品のカタログ、写真、あるいは価格等を貼り付けるのみであるために、文字、模様等に鮮明な色彩を用いた場合であっても、見る者に強力にアピールすることは困難である。
【０００５】
また、店等における店頭広告においても、単に自社商品のカタログ等を展示ボードに貼りつけただけでは、特に繁華街等の雑踏の中においては有効な広告とはなり得ない。
【０００６】
この点、パネルに挿装するカタログ等に趣向を凝らすことも考えられるが、かかる場合には、カタログ等を作製するたびごとに手間がかかってしまい煩わしさに耐えない。
【０００７】
また、展示会場における来場者に自社ブース等を強力にアピールするために、あるいは繁華街等において自社を強力にアピールするために、ネオンサインによる電飾広告等を用いる方法も考えられるが、電飾看板の場合には、装備が大掛かりになるとともにコストも上がってしまい、更に、ネオンサインでは蛍光灯等の寿命の関係で定期的に保守、交換を必要とするために手間や費用等がかかるという問題点がある。
【０００８】
そこで、本考案は、自社商品等の広告等のために用いられる展示ボードにおいて、人目を十分に引くことが可能であるとともに、コストも低く抑えることが可能な展示ボードを提供することを課題としている。
【０００９】
【課題を解決するための手段】
ところで、従来から、受けた光を有効に反射する反射テープが提供されており、この反射テープとしては、例えばリフレクタテープ、蛍光テープ等が存在しており、これらの反射テープは、各種の空間デザイン等においても有効に用いられている。
【００１０】
そこで、本考案者は、この反射テープの存在に着目し、上記課題を達成可能な展示ボードを考案した。
【００１１】
即ち、本考案の展示ボードは、各種広告等を展示するために用いられる展示ボードであって、ボード本体と、該ボード本体に表面側における周辺部任意の箇所に、任意の模様を描くようにして貼着された反射テープと、を備えたことを特徴としている。
【００１２】
本考案の展示ボードでは、受けた光を反射可能な反射テープを用いて、この反射テープを、ボード本体における表面側周辺部任意の箇所に備えている。そのため、例えば展示会場の自社ブースや店先等において、自社の広告宣伝等のためのカタログ等を本考案の展示ボードに貼着等した場合には、展示ボード全体を浮き上がらせることができ、特にカタログ等に趣向を凝らすことなく、人目を十分に引くことが可能な展示ボードとすることができる。
【００１３】
【考案の実施の形態】
本考案の展示ボードでは、ボード本体を備えており、このボード本体の表面側における周辺部任意の箇所には、任意の模様を描くようにして、反射テープを備えている。
【００１４】
ここで、ボード本体にボードフィルムを支持し、このボードフィルムにおける表面側の周辺部任意の箇所に、任意の模様を描くようにして反射テープを貼着してもよく、これにより、ボードフィルムを貼りかえることのみで、反射テープを貼りかえること無く、反射テープにより描かれた模様を変更することが可能である。
【００１５】
そしてこのボード本体にボードフィルムを支持するに際して、ボードフィルムが曲面形状になるようにして支持するとよく、これにより、広角度に亘って商品等の広告を行なうことが可能である。
【００１６】
即ち、ボードフィルムを平面形状にしてボード本体に支持した場合には、展示ボードに対向する箇所に位置する者しかボードフィルムに貼着等した商品カタログ等を見ることができないが、ボードフィルムを曲面形状にしてボード本体に支持した場合においては、展示ボードを見ることができる範囲が広がり、即ち展示ボードに対向する箇所に位置する者以外の者も展示ボードを見ることができ、そのため、例えば、本考案の展示ボードを展示会場のコーナー部分に設置した場合においては、コーナーを曲がる人が曲がりながら展示ボードを継続して見ることができるという利点がある。
【００１７】
【実施例】
本考案の展示ボードの第１実施例について図面を参照して説明すると、図１は、本実施例の展示ボードを示す斜視図であり、図において１が本実施例の展示ボードである。
【００１８】
そして、本実施例の展示ボード１は、全体として四角形状の板状としたボード本体２を備えており、このボード本体２としては、例えば発泡スチロール製のボードを用いるとよいが、その他、金属製、木製等の素材によりボードを形成してもよい。
【００１９】
そして、本実施例においてこのボード本体２の一方の面には、その全面に亘って、ボードフィルム３が貼着されている。このボードフィルム３の素材に関しては特に限定はされず、布、紙、樹脂製フィルム等、いずれでもよい。
【００２０】
次に、図において４は反射テープであり、即ち、本実施例の展示ボードでは、前記ボードフィルム３の表面側における周辺部任意の箇所に反射テープ４を貼着しており、その貼着に際しては、反射テープ４で任意の模様を描くようにしている。そして、反射テープ４としては、受けた光を有効に反射可能なテープとして、空間デザインやホビー等の分野においても多用されはじめているリフレクタテープ、蛍光テープ等を用いている。
【００２１】
このように、本実施例の展示ボード１では、ボードフィルム３の表面における周辺部任意の箇所に、リフレクタテープ、蛍光テープ等の反射テープを、これにより任意の模様を描くようにして貼着しているために、例えば、ボードフィルムに自社商品等の広告宣伝用のカタログを貼着した場合においては、ボードフィルムに貼着した反射テープが周囲の光を反射するため、展示ボード全体を浮き上がらせることができ、労せずして、人目を十分に引くことが可能な展示ボードにすることができる。
【００２２】
なお、前述の実施例では、ボード本体２にボードフィルム３を支持して、このボードフィルム３に反射テープ４を貼着した場合について説明したが、前記ボードフィルム３は必ずしも必要なものではなく、ボード本体２に直接反射テープ４を貼着してもよい。また、ボード本体２の両面にボードフィルム３を貼着するとともに、このそれぞれのボードフィルム３の表面に反射テープ４を貼着してもよい。
【００２３】
次に、本実施例の展示ボード１の使用方法について説明すると、本実施例の展示ボード１を用いて自社商品等の広告宣伝等を行なう場合には、図１に示すように、ボードフィルム３に、自社広告等６を記載したカタログ等５を貼着し、その後、この自社商品のカタログ等５を貼着した展示ボード１を、所望する箇所に設置するのみでよい。そうすると、ボードフィルム３の周辺部任意の箇所に貼着した反射テープ４が光を反射し、これにより、展示ボード１の全体を浮き上がらせて人目を引くことができ、広告宣伝媒体として有効に機能することになり、ポップ広告としても有効に用いることができる。
【００２４】
次に、本考案の展示ボードの第２実施例について図２を参照して説明すると、図２は、本実施例の展示ボードにおけるボードフィルムの一部を切り欠いた斜視図であり、図において１１が本実施例の展示ボードである。
【００２５】
そして、本実施例の展示ボード１１は、長尺状の枠材を略四角形状に枠組みすることによりボード本体１２を構成するとともに、このボード本体１２にボードフィルム１３を支持している。
【００２６】
即ち、図において１２がボード本体であり、本実施例におけるボード本体１２は、樹脂、木等の素材により構成された４本の長尺状の枠材を略四角形状に枠組みして構成されており、このボード本体１２に、ボードフィルム１３の周縁部を貼着し、更に、前記ボード本体１２の下端部には脚部１５を連設し、これにより展示ボード１１の単体を所望する箇所に立設可能としている。
【００２７】
そして、前記実施例と同様に、前記ボードフィルム１３の表面側における周辺部任意の箇所には、リフレクタテープ、蛍光テープ等の反射テープ１４を、これにより任意の模様を描くようにして貼着している。そのため、本実施例においても、これに自社商品等の広告宣伝用のカタログを貼着した場合においては、ボードフィルム１３に貼着した反射テープ１４が周囲の光を反射して、展示ボード１１の全体を浮き上がらせることができ、人目を十分に引くことが可能な展示ボードにすることができる。
【００２８】
次に、本考案の展示ボードの第３実施例について図３を参照して説明すると、図３は、本実施例の展示ボードを裏面から示す斜視図であり、図において２１が本実施例の展示ボードである。
【００２９】
そして、本実施例の展示ボード２１は、枠材によりボード本体２２を構成するとともに、このボード本体２２に、ボードフィルム２３を曲面形状にして支持している。
【００３０】
即ち、図において２２がボード本体であり、本実施例におけるボード本体２２は、樹脂等の変形可能な素材により構成された２本の長尺状かつ湾曲させた枠材２２０１を一定の間隔を置いて略平行に配置するとともに、この枠材２２０１を連結材２２０２で支持して構成されており、このボード本体２２に、ボードフィルム２３の上下の周縁部を係止し、更に、前記ボード本体２２の下端部には脚部２４を連設している。
【００３１】
そして、本実施例においても、前記ボードフィルム２３の表面側における周辺部任意の箇所には、リフレクタテープ、蛍光テープ等の反射テープを、これにより任意の模様を描くようにして貼着している。そのため、本実施例においても、これに自社商品等の広告宣伝用のカタログを貼着した場合においては、ボードフィルムに貼着した反射テープが周囲の光を反射して、展示ボード全体を浮き上がらせることができ、人目を十分に引くことが可能な展示ボードにすることができる。
【００３２】
また、本実施例の展示ボード２１では、ボードフィルム２３を曲面形状にして支持しているために、このボードフィルム２３を見ることが可能な範囲が広角度に亘るという利点があり、例えばこの展示ボード２１を展示会場等における自社ブースのコーナー部に配置した場合には、コーナー部を曲がっていく人は、曲がりながら継続して展示ボードを見ることができ、その者に対して強い印象を与えることが可能となる。
【００３３】
【考案の効果】
本考案の展示ボードは以上説明した形態で実施され、以下に記載するような効果を奏する。
【００３４】
本考案の展示ボードは、各種広告等を展示するために用いられる展示ボードであって、ボード本体と、該ボード本体に表面側における周辺部任意の箇所に、任意の模様を描くようにして貼着された反射テープと、を備えたことを特徴としている。
【００３５】
このように、本考案の展示ボードでは、受けた光を反射可能な反射テープを用いて、この反射テープを、ボード本体における表面側周辺部任意の箇所に備えている。そのため、例えば展示会場の自社ブースや店先等において、自社の広告宣伝等のためのカタログ等を本考案の展示ボードに貼着等した場合には、展示ボード全体を浮き上がらせることができ、特にカタログ等に趣向を凝らすことなく、人目を十分に引くことが可能な展示ボードとすることができる。
【図面の簡単な説明】
【図１】本考案の展示ボードの第１実施例を示す斜視図である。
【図２】本考案の展示ボードの第２実施例を示す斜視図である。
【図３】本考案の展示ボードの第３実施例を示す斜視図である。
【符号の説明】
１、１１、２１　　展示ボード
２、１２、２２　　ボード本体
２２０１　　枠材
２２０２　　連結部材
３、１３、２３　　ボードフィルム
４、１４　　反射テープ
１５、２４　　脚部
【図１】
0003098733.tif 000003
【図２】
0003098733.tif 000004
【図３】
0003098733.tif 000005
【手続補正書】
【提出日】平成15年8月14日(2003.8.14)
【手続補正１】
【補正対象書類名】明細書
【補正対象項目名】実用新案登録請求の範囲
【補正方法】変更
【補正の内容】
【実用新案登録請求の範囲】
【請求項１】
各種広告等を展示するために用いられる展示ボードであって、
ボード本体（２、１２、２２）と、
該ボード本体（２、１２、２２）の表面側における周辺部任意の箇所に、任意の模様を描くようにして貼着された反射テープ（４、１４）と、を備えたことを特徴とする展示ボード。
【請求項２】
各種広告等を展示するために用いられる展示ボードであって、
ボード本体（２、１２、２２）と、
該ボード本体（２、１２、２２）に支持されたボードフィルム（３、１３、２３）と、
該ボードフィルム（３、１３、２３）の表面側における周辺部任意の箇所に、任意の模様を描くようにして貼着された反射テープ（４、１４）と、を備えたことを特徴とする展示ボード。
【請求項３】
前記ボードフィルム（２３）を曲面形状にして前記ボード本体（２２）に支持したことを特徴とする請求項２に記載の展示ボード。